Podtech/llm-jp-corpus-v4-ja_patent huggingface dataset:
(57)【要約】      （修正有）【課題】煮物などを調理する際、また、調理した後、おたまの置き場を提供する。【解決手段】おたまを立てる形状を有する鍋蓋つまみ（１）と受け皿（２）を組み合わせた。本発明は、以上の構成によりなるおたまを立てる機能を兼ね備えた鍋蓋つまみである。【選択図】図１
2008161656.tif 000002
【特許請求の範囲】
【請求項１】
おたまを立てかける形状を有する鍋蓋つまみ（１）と受け皿（２）を組み合わせたことを特徴とするおたま立て鍋蓋つまみ。
【発明の詳細な説明】
【技術分野】
【０００１】  この発明は、鍋蓋の上におたまを立てることを可能にした鍋蓋つまみに関するものである。
【背景技術】
【０００２】  従来、煮物などを調理する際、また、調理した後、おたまの置き場に困った。
【発明が解決しようとする課題】
【０００３】  これは、次のような欠点があった。
煮物などを調理する際、また、調理した後、おたまを置くのに調理スペースの一部が占められた。
【課題を解決するための手段】
【０００４】  おたまを立てる形状を有する鍋蓋つまみ（１）と受け皿（２）を組み合わせた。
本発明は、以上の構成によりなるおたまを立てる機能を兼ね備えた鍋蓋つまみである。
【発明の効果】
【０００５】  おたまを鍋蓋の上に立てて調理できるため調理スペースを有効に使用できる。従来おたまを置くための受け皿が不要になるので洗い物の手間が省ける。
【発明を実施するための最良の形態】
【０００６】  以下、本発明を実施するための最良の形態について説明する。
鍋蓋つまみ（１）の下側におたまを引っ掛けて立てておけるようくぼみを設ける。
おたまに付いた調理物がたれないよう受け皿（２）をつまみと鍋蓋の間に取り付ける。
または、鍋蓋つまみ（１）と受け皿（２）を一体成型する。
【図面の簡単な説明】
【０００７】
【図１】  本発明の使用状態を示す斜視図である。
【図２】  本発明の使用状態を示す断面図である。
【符号の説明】
【００８】  １  鍋蓋つまみ
２  受け皿
３  鍋蓋
４  鍋
５  おたま
【図１】
2008161656.tif 000003
【図２】
2008161656.tif 000004
(57)【要約】      （修正有）【課題】便器の上面が後方に向かって傾斜する洋風便器において、排便にともなう排尿の飛沫の漏洩、漏出による不快感や着衣の汚損を防止する便器の便座を提供する。【解決手段】便器の上面が後方に向かって傾斜する洋風便器において、便座の先端側に、便器のボール面を覆う便座突出部Ｔを設けた。なお、この便座を使用する際には、すくなくとも、便座突出部Ｔの下面は、便器と密着する必要がある。【選択図】図１
2008161671.tif 000002
【特許請求の範囲】
【請求項１】
先発・後（下方）傾斜便器のリム部分に開閉自在に取付けられた便座において。閉の状態における、リム部に接する部位を下辺、対する部位を上辺として、同状態の便座の先端から後方便座取付部の間の任意の位置から先端の間、上辺を上方に突出、同辺をもって同区間の便器上面を一定の高さ形状に覆って成る部位を設定した事を特徴とする、先発・後（下方）傾斜便器の便座。
【発明の詳細な説明】
【発明の詳細な説明】
【技術分野】
【０００１】先発・後（下方）傾斜便器の便座に関する。
【背景技術】
【０００２】
【特許文献１】特開２００７−６３９８６号公報．
【特許文献２】特開２０００−１０４３２１号公報．
【特許文献３】実用新案公開  昭６４−３５９９７号公開．
【発明の開示】
【発明が解決しようとする課題】
【０００３】先発・後（下方）傾斜便器は着座時、使用者の重心が、水平便器使用時に比べ後方に移るので先端部に間隙が生じ、前部便座ボールの傾斜に沿って、汚物臭、男性使用時の状況によって、排便にともなう排尿の飛沫の漏洩、漏出が考えられ、それによる不快感着衣の汚損に及ぶ事も思慮されるところからその対策が必要とされた。
【課題を解決するための手段】
【０００４】便座閉（下した）状態における、便器本体先端部位に、相対した便座部位を突出させ、一定の高さ、形状に形成、覆う事でその解決をはかった。
【発明の効果】
【０００５】便座を上げた（開）の状態の便器本体の形状・機能を変化させる事なく。便座を下げる（閉）の状態における、便器本体前部からの汚物臭の漏洩、特に男性使用時の尿の飛散による、便器本体外部への漏出の防止に効果を発揮する。
【発明を実施するための最良の形態】
【０００６】先発・後（下方）傾斜便器・便座にあっては、全体的な後（下方）傾斜にあって、着座使用時、両足の開き角度が狭まり、重心も後に移ることからそれに対する開口部の意匠が望ましい。
【実施例１】
【０００７】便座前部突出部にあっては、対する便器リム部を密着をはかる為、同部分の裏面への緩衝突起は、設けず、開（上げる）の状態には通常の男性便器として使用する。
【産業上の利用可能性】
【０００８】これ迄述べて来た通り、後（下方）傾斜の利便に加え、同便器の前端部上方を、便座に設けられた突出部で覆う事により、汚物臭の漏洩、尿飛散時の漏出を防ぎ、性能の向上に努めた。
【図面の簡単な説明】
【０００９】
【図１】後・（下方）傾斜便器、便座、斜視図。
【図２】後・（下方）傾斜便器、便座側面図
【図３】後・（下方）傾斜便器、便座、使用時の状況
【図４】便座裏面
【符号の説明】
【００１０】Ｔ、便座突出部
Ｔ（Ｋ）便座突出基点
Ｃ１、２、３、４、緩衝突起
【図１】
2008161671.tif 000003
【図２】
2008161671.tif 000004
【図３】
2008161671.tif 000005
【図４】
2008161671.tif 000006
【手続補正書】
【提出日】平成19年11月27日(2007.11.27)
【手続補正１】
【補正対象書類名】明細書
【補正対象項目名】全文
【補正方法】変更
【補正の内容】
【発明の詳細な説明】
【技術分野】
【０００１】先発・後（下方）傾斜便器の便座に関する。
【背景技術】
【０００２】
【特許文献１】特開２００７−６３９８６号公報．
【特許文献２】特開２０００−１０４３２１号公報．
【特許文献３】実用新案公開  昭６４−３５９９７号公開．
【発明の開示】
【発明が解決しようとする課題】
【０００３】先発・後（下方）傾斜便器は着座時、使用者の重心が、水平便器使用時に比べ後方に移るので先端部に間隙が生じ、前部便座ボールの傾斜に沿って、汚物臭、男性使用時の状況によって、排便にともなう排尿の飛沫の漏洩、漏出が考えられ、それによる不快感着衣の汚損に及ぶ事も思慮されるところからその対策が必要とされた。
【課題を解決するための手段】
【０００４】便座閉（下した）状態における、便器本体先端部位に、相対した便座部位を突出させ、一定の高さ、形状に形成、覆う事でその解決をはかった。
【発明の効果】
【０００５】便座を上げた（開）の状態の便器本体の形状・機能を変化させる事なく。便座を下げる（閉）の状態における、便器本体前部からの汚物臭の漏洩、特に男性使用時の尿の飛散による、便器本体外部への漏出の防止に効果を発揮する。
【発明を実施するための最良の形態】
【０００６】先発・後（下方）傾斜便器・便座にあっては、全体的な後（下方）傾斜にあって、着座使用時、両足の開き角度が狭まり、重心も後に移ることからそれに対する開口部の意匠が望ましい。
【実施例１】
【０００７】便座前部突出部にあっては、対する便器リム部を密着をはかる為、同部分の裏面への緩衝突起は、設けず、開（上げる）の状態には通常の男性便器として使用する。
【産業上の利用可能性】
【０００８】これ迄述べて来た通り、後（下方）傾斜の利便に加え、同便器の前端部上方を、便座に設けられた突出部で覆う事により、汚物臭の漏洩、尿飛散時の漏出を防ぎ、性能の向上に努めた。
【図面の簡単な説明】
【０００９】
【図１】後・（下方）傾斜便器、便座、斜視図。
【図２】後・（下方）傾斜便器、便座側面図
【図３】後・（下方）傾斜便器、便座、使用時の状況
【図４】便座裏面
【符号の説明】
【００１０】Ｔ、便座突出部Ｔ（Ｋ）便座突出基点Ｃ１、２、３、４、緩衝突起
【手続補正２】
【補正対象書類名】特許請求の範囲
【補正対象項目名】全文
【補正方法】変更
【補正の内容】
【特許請求の範囲】
【請求項１】
先発、後（下方）傾斜便器のリム部分に開閉自在に取付けられた便座において、閉の状態におけるリム部に接する部位を下辺、対する部位を上辺として、同状態の便座の先端から後方便座取付部の間の任意、同一位置から先端の間、上辺を上方に突出、同辺をもって同区間の便器上面を一定の高さ形状に対象に覆って成る部位を設定した事を特徴とする、先発・後（下方）傾斜便器の便座。
(57)【要約】【課題】  注ぎ口の直径が１．５センチから３センチの薬缶に着脱可能な沸騰警笛装置を提供する。【解決手段】  量産されている警笛部品に錘りとバネによる固定装置を取り付けることで警笛を手軽に着脱できるようにしている。【選択図】図１
2008161615.tif 000002
【特許請求の範囲】
従来、薬缶の沸騰吹鳴器は沸騰蒸気圧に耐えられるように薬缶に固定するように取り付けられている。そのため注ぎ口の形状が異なったり、美観を重視するほうろう製の薬缶には沸騰吹鳴器が取り付けられる事はなかった。
本案は以下の創作によってどのタイプの薬缶にも簡単に着脱できる沸騰吹鳴器取り付け装置である。
【請求項１】
支えバネと錘りを併用することによって沸騰吹鳴器を大抵のタイプの薬缶に取り付け取り外しが簡単にできるようにした沸騰吹鳴器取り付け装置である。
【発明の詳細な説明】
【技術分野】
【０００１】  薬缶には様々な大きさ、形状の注ぎ口のものがある。そのどの薬缶にも汎用できる沸騰吹鳴装置に関するものである。
取り付け、取り外しが簡単にできる。
湯を注ぐときは本品を軽く２センチ程度引き上げるだけで普通の薬缶と同じように扱うことができる。
飾りやキャラクター人形などを取り付けることができる。
量産されている吹鳴器をそのまま使えるのでコストを低く押さえられる。
【背景技術】
【０００２】  これまでには薬缶と警笛とを分離できるものはなかった。
【特許文献】
【０００３】
【発明の開示】
【発明が解決しようとする課題】
【０００４】  ほうろう製の薬缶は美観が重視されるために固定式の警笛は取り付けられてこなかった。
その美観をそこなはないような、またユーザーの好みに合わせた装飾やキャラクター人形などを付加できるようにしたい。
どこの家庭にもある警笛が壊れてしまっている薬缶の機能を復活させたい。
警笛の取り付けにはバネの圧力を利用しているが、沸騰蒸気の圧力に耐えられるためには相当程度の強いバネが必要になる。バネを強くすればこれは着脱の簡単さを妨害することになる。そこで弱いバネで沸騰蒸気の圧力に耐えられるようにするという問題を解決しなければならない。
バネを使うことの利点は薬缶の湯をそそぐとき本器を２センチ程度引き上げるだけで済む便利さがあるのでその特性を活かさなければならない。
薬缶の注ぎ口には円形もあれば涙滴型もある。多様な形状に合い且つどの向きからでも着脱が簡単にできる形にしたい。
【課題を解決するための手段】
【０００５】  本器の着脱を楽にするためにバネ圧を弱くするが、沸騰蒸気圧に耐えられるだけの錘りを上部に載せられるようにする。
薬缶の注ぎ口の形が様々でも、またどの向きからでの着脱にも便利なように底面の形は円形にする（図２の場合）。
【発明の効果】
【０００６】  本器を使うことによって固定式の警笛部分が壊れて不便になっている薬缶を再生することができる。
注ぎ口の大きさの異なるほうろう製の薬缶にも使用できる。
ほうろう製などの美観を重視する薬缶にも抵抗感なく使用できる。
これらの理由で吹鳴器の使用が大幅に広がる。
【図面の簡単な説明】
【０００７】
【図１】  上は吹鳴器に載せる錘    下は吹鳴器取り付け装置
【図２】  吹鳴器取り付け装置を耐熱プラスチック製にした場合胴体を太くするほど吹鳴器との接着を丈夫にすることができる。
【図３】  本器の使用状態
【符号の説明】
【０００８】  １  錘り
２  蒸気抜けの穴  吹鳴部分に嵌まる大きさにする
３  吹鳴部分
４  取り付け用支えバネ
５  本器を耐熱プラスチックにした場合の図
６  吹鳴部分
７  支えバネを取り付ける胴体
８  耐熱プラスチック
９  ステンレススチール製支えバネ
１０  錘り
１１  本品
【図１】
2008161615.tif 000003
【図２】
2008161615.tif 000004
【図３】
2008161615.tif 000005
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
支えバネと錘りを併用することによって沸騰吹鳴器を大抵のタイプの薬缶に取り付け取り外しが簡単にできるようにした沸騰吹鳴器取り付け装置である。
(57)【要約】【課題】  本発明は、歯を磨く際に、歯及び歯茎の損傷を和らげるための、歯ブラシの柄の形状を提供する。【解決手段】  歯ブラシの柄の部分の構造において、中指や薬指で握る柄の部分が、親指や人差し指で握る部分と比べて極めて細く直径が８ミリ以下で、丸い棒状の形状をしており、かつ、小指でしっかりと握ることができないほど短い形状であることを特徴とした柄の一部が極めて細く短い歯ブラシ。【選択図】図１
2008161616.tif 000002
【特許請求の範囲】
【請求項１】
歯ブラシの柄の部分の構造において、中指や薬指で握る柄の部分が、親指や人差し指で握る部分と比べて極めて細く直径が８ミリ以下で、丸い棒状の形状にし、かつ、小指でしっかりと握ることができないほど短い形状にしたことを特徴とした柄の一部が極めて細く短い歯ブラシ。
【発明の詳細な説明】
【技術分野】
【０００１】  本発明は、歯を磨く際に、歯及び歯茎の損傷を和らげるための、歯ブラシの柄の形状を柄の一部が極めて細く短い歯ブラシに関するものである。
【背景技術】
【０００２】  従来は、歯を磨く際、意識、無意識を問わず、歯ブラシの柄の部分を握り締めて磨くことにより、結果的に歯ブラシの先端に必要以上の力が加わっていた。
そして、その行為を日々繰り返すことにより、歯及び歯茎を次第に損傷することがあった。
柄の部分を握り締めて磨くことが、結果的に歯及び歯茎にそのような影響を及ぼすことを知らないで、歯磨きをしている人が多かった。
また、握りやすいことに主眼を当てた歯ブラシが当たり前であった。
【発明の開示】
【発明が解決しようとしている課題】
【０００３】  そのために、次のような問題点があった。
（イ）歯ブラシの柄の部分が、手全体で持ちやすい構造となっていることが、柄を握る力    を強めることとなっていた。
（ロ）また、手で持ちやすい構造であることにより、歯ブラシの柄の部分を強く握って歯    を磨くことが、歯や歯茎に損傷を及ぼすことを、磨く本人に意識させにくいものとな    っていた。
本発明は、これらの問題点を解決するためになされたものである。
【課題を解決するための手段】
【０００４】  歯ブラシの柄の部分の構造において、中指や薬指で握る柄の部分が、親指や人差し指で握る部分と比べて極めて細く直径が８ミリ以下で、丸い棒状の形状にし、かつ、小指で握ることが出来ないほど短い形状であることを特徴とした柄の一部が極めて細く短い歯ブラシ。
【発明の効果】
【０００５】  歯ブラシの柄の構造において、親指や人差し指以外で握る柄の部分が極めて細く、丸い棒状の形状をしており、かつ、短い形状とすることで、本考案は次のような効果が得られる。
（イ）親指や人差し指以外の手の部分で歯ブラシを握る力を、従来よりも軽減することが    できる。
（ロ）結果として、手全体で握り締めるよりも歯及び歯茎が損傷しにくいと言われている    、親指と人差し指の部分で歯ブラシを持ち、操作するという習慣がつく。
（ハ）柄の部分が細くて丸く、かつ、短いことが、握るという動作への違和感となって、    歯ブラシを手全体で強く握らないように意識させることができる。
【発明を実施するための最良の形態】
【０００６】  以下、本発明の実施の形態について説明する。
歯ブラシ本体（１）の柄の部分のうち、中指や薬指で握る部分（２）が、親指や人指し指で握る部分（３）と比較して極めて細く直径が８ミリ以下で、丸い棒状の形状をしており、かつ、小指でしっかりと握ることができないほど短い形状を特徴とする。
本発明は以上のような構造である。
これを使用するときは、歯ブラシの柄を手（４）で持つ際に、親指と人差し指で（３）の部分を掴み、中指と薬指と手のひらで（２）の部分を包み込むようにして使用する。
【図面の簡単な説明】
【０００７】
【図１】  本発明の正面図である。
【図２】  本発明の側面図である。
【図３】  本発明の使用状態を示した側面図である。
【符号の説明】
【０００８】  １  歯ブラシ本体
２  中指や薬指で握る部分
３  親指や人差し指で握る部分
４  手
【図１】
2008161616.tif 000003
【図２】
2008161616.tif 000004
【図３】
2008161616.tif 000005
(57)【要約】      （修正有）【課題】庫内の低湿と清浄を効率良く実現し、かつ従来方式とほぼ同じ構造体をユニット内に組込んだコンパクトな低湿清浄装置を提供する。【解決手段】密閉式キャビネット８の一部に装着した乾燥剤３を再生する自動乾燥装置１内の庫内空気流動路間に光触媒作用を行う酸化チタンを担持した通気性素材１０を設け、その表面に２５０〜４５０ｎｍの光線を照射し、キャビネット内の湿度を低湿度に保つと共に空気中に浮遊している約０．１〜１０μｍの有機物を分解・除却する。【選択図】図１
2008161619.tif 000002
【特許請求の範囲】
【請求項１】
ゼオラムで代表される低湿時吸着能力の大きい乾燥剤の水蒸気分圧の差を利用し、乾燥剤と庫内流動空気相間に光触媒作用を行う、酸化チタン主体の触媒を乾燥剤容器表面、気相中間、上記を構成する製造の内層面にわたり光触媒酸化チタン層を設け、同時にＬＥＤ、水銀灯の如き２５０ｎｍ〜４５０ｎｍの波長をもつ光線を各酸化チタン層に照射する構成によるクリーン構造。
【請求項２】
上記において、光触媒作用を効果的にするため、乾燥剤により、誘起される水蒸気分圧による空気移動の最も良い位置として、本ユニット装置内の庫内空気の吸入口と排気口との中間に酸化チタンによる触媒を配置し、それに前記光を照射する装置。
【発明の詳細な説明】
【技術分野】
【０００１】本発明は低湿作用と清浄作用の相互相乗利用によりその効果を一層と高めた低湿清浄庫に関する。
【背景技術】
【０００２】従来庫内を低湿度に保つ方式として、タイマーによる自動制御で乾燥剤の加熱・再生を行い庫内湿度を１０％とか３０％に保つ方式は公知としてあり、また酸化チタンと紫外線による光触媒作用を行う方式も公知として知られる。【０００３】ただそれらを合体した相乗効果を利用して、本発明は低湿と清浄を最も効率の良い方式でかつ、従来方式とほぼ同じ構造体をユニット内に組込むコンパクト設計により、高機能機種としては実用的かつ進歩的なものである。
【発明の開示】
【発明が解決しようとする課題】
【０００４】本発明は従来の除湿機能をする装置（以下除湿ユニットと称する）内の水蒸気分圧の差に起因する空気層の変化に着目して、この空気分圧の差を利用して有機不純物を吸引・分解・除去することにより、除湿ユニットの外形寸法・形状変化なしで小型低湿作用と清浄作用を両立したものである。
【課題を解決するための手段】
【０００５】上述の課題を解決するための方法として、光触媒には、酸化チタンとアパタイトの混合、ナノ単位の微細化等公知の技術を活用するとともに低湿作用のもつ空気内の水蒸気分圧の差は乾燥剤のもつ吸湿作用により誘起されるので、その圧力差に着目して、空気流の移動により生じた変化、即ち水蒸気分圧差の流れを最大活用する除湿ユニット内に酸化チタンを主体する有機不純物の分解・除去作用を行う光触媒機能を配置したことが本発明の大きな特徴である。
水蒸気分圧の差とは一例を説明すれば、庫内温度２４℃、湿度６０％において水蒸気分圧は空気線図より明らかに１３．４ｍｍＨｇである。これに対し温度は同じく２４℃において乾燥剤表面の水蒸気分圧は湿度０．５％の場合（実際は更に低い）で０．５ｍｍＨｇであり、その差は１２．９ｍｍＨｇになる。この圧力差により水蒸気を含む空気層はゆるやかな移動を生じる。この空気層の流れを利用するのが本発明の特徴である。
【発明の効果】
【０００６】即ち、本発明によれば庫内の空気中の水蒸気圧の差によって生じる空気中に酸化チタンベースの光触媒作用を導入するべく、各種酸化チタン担持の方法かつ空気流を阻害しない配置によって、低湿作用と清浄作用が相乗効果を促進させて、庫内の低湿・清浄の目的を達成したものである。【０００７】それによる効果として、民生用としてはカメラ・レンズのカビ防止が従来庫内湿度の低湿化（約３０〜４０％）で行われたが、光触媒作用効果により空気中に含まれている微細有機物（０．１〜数μｍ）を分解・除去する作用により、近時発達したデジタル１眼レフカメラのレンズと共に撮像素子（ＣＣＤ）の不純物の付着防止及び除去に効果的である。不純物質に対しては各カメラメーカーも対策として超音波振動等の特殊装置を必要とし、コスト面で不合理であった。これらを本発明低湿清浄庫によって問題である不純物のクリーン化に成功した。【０００８】また産業用分野においては、上記ＣＣＤの製造工程中の保管、またはカメラメーカー工程中の保管に必須なものである。【０００９】更に半導体工程、ウェハーの収納、またその搬送中にもクリーンルーム内においても、多数浮遊している有機不純物の除去対策として極めて有効である。
【発明を実施するための最良の形態】
【００１０】以下本発明の要旨を実施形式図面により具体的に説明する。
【実施例１】
【００１１】図１の本発明の側断図で示す如く、本装置ユニット１は密閉式扉付キャビネット８の背面側９に通常設けられる。ユニット１には、基本構成に除湿機能をもつため上部に排気口４′に設け、下部に吸気口７′を設けてある。その内部はほぼ中間にゼオラム・シリカゲル等で代表される吸湿剤３が設けられており、この吸湿剤は周囲を通気性ある小穴開孔容器２またはネット状容器で構成されている。これらはタイマー等（図省略）の制御によって、一定時間ごとに再成され排出水分は上４′吸気は下７′のシャッターより、吸排出され乾燥剤再成後は、バネ５により復元される。【００１２】一方上記シャッター４′、７′の閉じたときは、庫内側シャッター４．７が連動して開かれ、庫内空気の吸湿作用が行われる（約６時間）この時、活性化された乾燥剤３は吸湿作用を行い、庫内空気取り入れ口シャッター７から、水蒸気分圧の差により庫内空気が吸引され、乾燥剤３を経て、即ち脱湿作用を経て、水蒸気分圧差によって上方シャッターから庫内に流入する、これを６時間にわたり、連続して行われる。【００１３】この空気の流れの過程を図１の空気回路に酸化チタン担持のスクリーンを設ける、これにＬＥＤ１１の小型照明により酸化チタン表面層に対応して、２５０〜３５０ｎｍ波長の光、または可視光対応の４００〜４５０ｎｍ波長の光を照射して、光触媒作用を行うものである。
【図面の簡単な説明】
【図１】図１．本発明ユニットの構成を示す側断面図の各部品  １．本発明除湿・清浄ユニット  ２．乾燥剤収納容器（透湿穴形式）  ３．乾燥剤  ４．上部庫内空気排出側シャッター  ４′上部庫外空気排出側シャッター  ５．引張りバネ  ６．上部シャッター開閉支点  ７．下部庫内空気吸入側シャッター  ７′下部庫外空気吸入側シャッター  ８．密封キャビネット  ９．同上背面  １０．酸化チタン坦持通気性スクリーン  １１．ＬＥＤ照明ランプ  １２．下部シャッター開閉支点  １３．本製造内側に酸化チタン層を配設
【図２】図２．キャビネットに本発明ユニット装着の側断面図  １４．キャビネット密閉用扉  １５．キャビネット庫内棚  １６．キャビネット下部棚
【図１】
2008161619.tif 000003
【図２】
2008161619.tif 000004
(57)【要約】【課題】防災用品を入れる収納部分を設けた、緊急脱出用スリッパを提供する。【解決手段】スリッパはスリッパ本体と中敷きが外れるようになっておりスリッパ本体の甲部分に収納部分を設け、中敷に収納部分を設け、脱落防止用にスリッパ本体に帯状の脱落防止具を設け、スリッパ本体の中底に緊急連絡先として住所・氏名・電話番号・血液型・既往症等を記載する表示部を設けた防災用のスリッパ。【選択図】図１
2008161617.tif 000002
【特許請求の範囲】
【請求項１】
任意の靴、スリッパ等に使用できる中敷き本体において、該中敷きの内部の少なくとも一部に設けられた収納部と収納部を自在に開閉できる開閉手段とより構成される中敷き。
【請求項２】
任意のスリッパ本体と、該スリッパ本体に設けられた、収納部と収納部を自在に開閉できる開閉手段、中敷き取付け部とより構成される防災用スリッパ。
【発明の詳細な説明】
【技術分野】
【０００１】  本発明は、防災用品を収納する避難用スリッパ及び中敷きに関するものである。
【背景技術】
【０００２】  従来ポケット付きのスリッパがあった（特許文献１参照）。
収納部を有する中敷きはなかった。
【特許文献１】特開平８−２１４９０６号公報
【発明の開示】
【発明が解決しようとする課題】
【０００３】  そのために次のような問題点があった。
（イ）スリッパのポケット部にカイロを入れて暖をとるための物で、物品を入れる十分な空間がなく、物品の携帯は不可能であり、避難用には不適切である。またファスナー等が付いていないため、物品を入れても脱落する可能性が高い。
【課題を解決するための手段】
【０００４】  任意の靴、スリッパ等に使用できる中敷き本体において、該中敷きの内部の少なくとも一部に設けられた収納部と収納部を自在に開閉できる開閉手段とより構成される中敷き。及び任意のスリッパ本体と、該スリッパ本体に設けられた、収納部と収納部を自在に開閉できる開閉手段、中敷き取付け部とより構成される防災用スリッパ。
【発明の効果】
【０００５】  地震・火事などの不測の事態に枕もとなどに置いて、すぐに履いて外に出る事ができる。底が厚いため、ガラスの破片・瓦礫などを踏んで足を怪我する可能性が低く、ペンライト・安全ピン・絆創膏・小銭・鍵・筆記用具などの最低限の品を収納・携帯できる。収納部分には開閉手段が設けられているので、これらの物の脱落を防止できる。
中底に血液型や既往症を記載しているので、医療を必要とした場合速やかに対処ができる。ｔ
脱落防止具を有しているため、走ってもスリッパが脱落する心配がない。
【発明を実施するための最良の形態】
【０００６】以下、本発明の実施の形態について説明する。
（イ）中敷き（４）にファスナー付きの収納部（５）を設ける。収納部（５）の開閉部（６）はファスナーで開閉自由になっている。
（ロ）スリッパ本体（１）の底に前記の中敷き（４）を着脱自在に取付けられる中敷き取付け部（１０）を設ける。
（ハ）スリッパ本体（１）の甲部外側にファスナー付きの収納部（２）を設け、収納部の開閉部（３）はファスナーで開閉自由になっている。開閉手段としてはボタン、面ファスナー等でもよい。
（ニ）スリッパ本体（１）の中底部分に緊急連絡先として住所・氏名・電話番号・血液型・既往症等を記載する表示部（８）を設ける。
（ホ）脱落防止具（７）を、スリッパ本体の甲部に取り付ける。脱落防止具（７）は環状になっており普段は底のほうに回し、履いたときに後ろから回して足首を囲むように固定する。
（ヘ）中敷き（４）には物品の収納によってできる凹凸から足を保護するため、厚紙又はプラスチック等の厚板状の物を入れる。
本発明は以上の構成よりなる。
本発明を使用するときは火事や地震などの緊急時にすぐに脱出できるよう枕元などに置いておく。避難時に走っても脱げないようにゴムで足首を囲むようにする。
非常時に持ち出すペンライト・安全ピン・絆創膏・小銭・鍵・筆記用具等をあらかじめ本体収納部（２）、中敷き収納部（５）に収納しておく。
【図面の簡単な説明】
【０００７】
【図１】本発明の分解斜視図
【図２】本発明の中敷の斜視図
【図３】本発明の本体の斜視図
【図４】本発明の使用状態を示す図
【図５】本発明の中敷の斜視図
【図６】本発明の中敷の断面図
【符号の説明】
【０００８】１    スリッパ本体
２    本体収納部
３    開閉部
４    中敷き
５    中敷き収納部
６    開閉部
７    脱落防止具
８    表示部
９    脱落防止具取付け部
１０  中敷き取付け部
１１  中敷き厚板部
【図１】
2008161617.tif 000003
【図２】
2008161617.tif 000004
【図３】
2008161617.tif 000005
【図４】
2008161617.tif 000006
【図５】
2008161617.tif 000007
【図６】
2008161617.tif 000008
(57)【要約】      （修正有）【課題】力強く投げても、スピードが遅く安全で、狭い場所でも遊べる遊具を提供する。【解決手段】投げる時につかむ握り部１の両端に一対の羽根２を設置し、投げ出されると上昇力を生じ、低スピードでも落ちにくい。この遊具は、あたかもスピードの遅いキャッチボールをするような感覚で狭い場所でも、安全に遊ぶことができ、さらに飛ぶスピードの割には落ちにくい特徴を有する。【選択図】図１
2008161618.tif 000002
【特許請求の範囲】
【請求項１】
握り部の両端に羽根を設けた形状をし、進行方向と直角方向を軸として回転させながら投げて飛ばすことを特徴とした遊具。
【発明の詳細な説明】
【技術分野】
【０００１】この発明は、回転させながら投げて遊ぶ遊具に関する。
【背景技術】
【０００２】従来の投げて遊ぶ遊具は回転軸が垂直方向のもので、遠くに飛ばしたり、元のところに戻ってきたりするものである。
【発明の開示】
【発明が解決しようとする課題】
【０００３】しかしながら、以上の技術によれば、広いスペースが必要で、飛ぶスピードが速く、必ずしも安全ではないものがあった。
そこでこの発明は、力強く投げても、スピードが遅く安全で、狭い場所でも遊べる遊具を提供することを課題とする。
【課題を解決するための手段】
【０００４】以上の課題を解決するために、この発明は、投げる時につかむ部分の両端に一対の羽根を設置したことを特徴とする遊具である。
【発明の効果】
【０００５】この発明によれば、あたかもスピードの遅いキャッチボールをするような感覚で狭い場所でも、安全に遊ぶことができる。投げ出されると上昇力を生じ、低スピードでも落ちにくい意外性も提供できる。
【発明を実施するための最良の形態】
【０００６】この発明の一実施形態を図１と図２に示す。
図１において、投げる時につかむ部分１の両側に羽根２が設置されている。図２は全体図である。遊び方は図４のように持ち、回転方向７になるように８の方向に（斜め上でも良い）回転させながら投げ出すと図５のような軌跡で飛んで行く。
【実施例】
【０００７】図３は、羽根の効率を高めて、よく上昇力を得るための円形の仕切り板３を追加した形態を示す。この場合は遊具の飛ぶスピードが遅くなり、飛ぶ距離も短く、より安全なものになる。
【図面の簡単な説明】
【０００８】
【図１】この発明の遊具の正面図と側面図である。
【図２】この発明の構造形態を示す全体図である。
【図３】この発明のより効率のよい上昇率を得る形態の全体図である。
【図４】この遊具の飛ばし方の例を示す。
【図５】この遊具の飛ぶ軌跡の例を示す。
【符号の説明】
１  握り部
２  羽根
３  仕切り板
４  回転させる方向
５  投げ出す方向
【図１】
2008161618.tif 000003
【図２】
2008161618.tif 000004
【図３】
2008161618.tif 000005
【図４】
2008161618.tif 000006
【図５】
2008161618.tif 000007
(57)【要約】【課題】従来品はインプラント埋入操作中に顎堤にあてがうだけでも難しく、その形状もインプラント横断面とは全く相似しておらず、顎堤上で所期の目標となるインプラントの理想的な埋入位置もイメージできなかった。  【解決手段】そこで図１のごとく波状の歯槽(1)上に置きやすく、インプラント埋入のイメージもわきやすい、メジャー下部辺縁部にギザギザのついた実在インプラント体横断面を、同形で中心部に穴のあいた円盤形のメジャーを発明し作製した。  【選択図】      図１
2008161662.tif 000002
【特許請求の範囲】
【請求項１】
メジャーであって、基盤に１つ以上のメジャーが取り付けられていて該メジャーの先端部は穴が開いているか、又は開放型になっており、メジャーの尾部は長穴を利用して取り付けられていることを特徴とするインプラント埋入用メジャー。
【請求項２】
先端部の裏側が凹凸になっていることを特徴とする請求項１記載のインプラント埋入用メジャー。
【発明の詳細な説明】
【技術分野】
【０００１】
本発明は、歯科医療機器のうち、インプラントを埋入するための補助器具である。
【背景技術】
【０００２】
インプラント埋入用のメジャーは、インプラントを顎骨の中に埋入するのに模型上であるいは術中に医学的・生理的に望ましい位置にするための定規である。
【０００３】
従来、インプラントを埋入するためのメジャーには、事務用品と                    して使われている棒状又は板状の物差しやノギスが使われていた。
【０００４】
しかし口腔内は狭い上、特に顎骨の頂上部を歯槽頂というが決し                    て平坦ではなく、波形であったり凸凹しており、それらのメジャーを当該部位にあてがうだけでも至難の業でわずらわしく、頻繁なる使用を妨げていた。
【発明の開示】
【発明が解決しようとする課題】
【０００５】
従来品はインプラント埋入操作中に顎堤にあてがうだけでも難しく、その形状もインプラント横断面とは全く相似しておらず、顎堤上で所期の目標となるインプラントの理想的な埋入位置もイメージできなかった。
【課題を解決するための手段】
【０００６】
そこで図１のごとく波状の歯槽(1)上に置きやすく、インプラント埋入のイメージもわきやすい、メジャー下部辺縁部にギザギザのついた実在インプラント体横断面を、同形で中心部に穴のあいた円盤形のメジャーを発明し作製した。
【発明の効果】
【０００７】
平坦ではなく凸凹やカーブしているなど変化に富んだ顎堤(1)上にメジャー先端部(3)の下部にギザギザをつけることにより、作業中にずれることなく安定して保持させることができた。さらにメジャー先端部(3)を円形にすることで、実際のインプラント体の埋入のイメージがとりやすくなり、より正確な手術が可能となった。又、メジャー先端部(3)の中心に穴をあけることにより、歯槽堤にドリルやラウンドバーでの最初の穴あけが正確にできるようになった。そしてメジャーの尾部(6)を開窓状にすることで、メジャーそのものの長さを調整することを可能とせしめた。
【発明を実施するための最良の形態】
【０００８】
板状の基盤にコーンタイプのインラントの横断面に似せた形態の板を止めたメジャーが特に好ましく適用できる。
【実施例１】
【０００９】
第１の実施例につき図１の歯槽(1)上に本装置インプラント埋入用メジャー(2)を設置したところである。
インプラント体横断面の形状で、中心部に穴をあけたことを特徴とするこのメジャーの複数の先端(3)は、棒や板(4)で連結され、それぞれ手指により保持する板(5)によりボルトナット(6)でまとめられる。
その部分の拡大図を図２で示す。
棒又は板(4)の尾部は穴あき構造を有し、それぞれボルトナットにより締めることができるので顎堤(1)の形状に合わせてメジャーの先端(3)を調整できる。
【実施例２】
【００１０】
第２の実施例につき、図３のようにメジャーの先端部(3)が口唇(7)が小さく開口度の小さい人でもできるだけ容易に口腔内の奥の方に到達できるよう、連結部(4)を屈曲させた。
【実施例３】
【００１１】
第３の例として、図４のように先端部を開放型とし、ドリルや器具を骨の上に置くか挿入した状態でメジャーを容易にその部位からはずすことを可能とした。
【図面の簡単な説明】
【００１２】
【図１】本発明の全体像である。又、第１の実施例の斜視図である。
【図２】メジャーの尾部の拡大斜視図である。
【図３】第２の実施例の斜視図である。
【図４】先端開放型のメジャー先端部拡大斜視図である。
【符号の説明】
【００１３】
１  歯槽堤
２  メジャー全体図
３  メジャー先端部
４  連結部
５  メジャー尾部
６  手指による保持部
７  口唇
【図１】
2008161662.tif 000003
【図２】
2008161662.tif 000004
【図３】
2008161662.tif 000005
【図４】
2008161662.tif 000006
(57)【要約】【課題】環状の刃を回転駆動軸固定ねじ付きの環状の刃ホルダに、刃ホルダを軸方向に貫通して刃の胴部までのびる複数の刃固定ねじを介して、同心的に固定してなるスリッターの回転刃ユニットとして、刃先の横振れを簡単に補整できるものを提供する。【解決手段】刃ホルダ１３に、軸周りに間隔をおいた複数の部位のそれぞれに、刃固定ねじ１４と平行に軸方向にのびる刃押圧ねじ１７を、軸方向に移動可能に、すなわちその先端部が、刃ホルダ１３の側端面と対接する刃１２の胴部の側端面部に押圧係合可能に内装する。【選択図】図２
2008161955.tif 000002
【特許請求の範囲】
【請求項１】
環状の刃を、回転駆動軸固定ねじ付きの環状の刃ホルダに、側端面相互の対接状態で、軸周りに間隔をおいて軸方向にのびる複数の刃固定ねじを介して同心的に固定してなるスリッターにおける回転刃ユニットであって、刃ホルダに、軸周りに間隔をおいて、刃固定ねじと平行に軸方向にのびるとともに刃の対接側端面に接離可能な複数の刃押圧ねじを配設してなる、スリッターにおける回転刃ユニット。
【発明の詳細な説明】
【技術分野】
【０００１】
この発明は、プラスチックフィルム、紙などのウエブを幅方向においてスリットするスリッターにおいて、回転駆動軸を介して回転駆動され回転刃ユニットに関する。
【背景技術】
【０００２】
周知のように、この種のスリッターにおける回転刃ユニットは、環状（円形）の刃を回転駆動軸固定ねじ（セットねじ、クランプねじ等）付きの環状の刃ホルダに、側端面相互の対接状態で、軸周りに間隔をおいて軸方向にのびる複数の刃固定ねじ（セットねじ等）により同心的に固定した構造からなっており、回転駆動軸に、刃ホルダに付設の回転駆動軸固定ねじを介して同心的に固定（挿着）して使用される（例えば、特許文献１及び２参照）。
【０００３】
しかるにこの回転刃ユニットの回転駆動軸に対する固定状態は、加工精度や塵埃の付着等の関係から、刃先（カッティングエッジ）が回転駆動軸に対して完全に直交せず、微小角度傾斜する状態になりやすく、このため回転駆動軸を介した回転駆動時に、刃先が一回転毎に軸方向、すなわち横方向に微少量振れる結果、スリットしたウエブ条片の側縁は微小な蛇行形状になりやすいという状況にある。
【０００４】
従ってスリットしたウエブ条片の側縁について高い直線度が要求される場合には、刃先の横振れの補整のために、回転刃ユニット近傍のスリッターフレーム等に支持した横振れ測定器（一般にはダイヤルゲージ）の測定子を刃先部に接触させた状態で、回転駆動軸とともに回転刃ユニットを手動回転して、回転刃の刃先の横振れ量を測定し、横振れ量が規定値を超える場合には、回転駆動軸固定ねじや刃固定ねじを緩めて、回転刃ユニットの回転駆動軸に対する固定や刃の刃ホルダに対する固定をやり直すことが行われている。
【０００５】
しかしながらこのような刃先の横振れの補整操作は、煩雑で時間もかかるという問題がある。
【特許文献１】特開２００４−１６０５６０号公報
【特許文献２】特開平７−２４１７９９号公報
【発明の開示】
【発明が解決しようとする課題】
【０００６】
この発明は、周知のスリッターにおける回転刃ユニットの回転駆動時に認められる刃先の横振れの問題に鑑み、特に周知の回転刃ユニットに対する簡単な付加構造によって、刃先の横振れの補整をより簡単に行うことができるようにすることを課題としている。
【課題を解決するための手段】
【０００７】
この発明によれば、上記の課題は、特許請求の範囲の請求項１に記載のように、環状の刃を回転駆動軸固定ねじ付きの環状の刃ホルダに、側端面相互の対接状態で、軸周りに間隔をおいて軸方向にのびる複数の刃固定ねじを介して同心的に固定したスリッターにおける回転刃ユニットであって、刃ホルダに、軸周りに間隔をおいて、刃固定ねじと平行に軸方向にのびるとともに刃の対接側端面に接離可能な複数の刃押圧ねじを配設してなる、スリッターにおける回転刃ユニットによって解決する。
【発明の効果】
【０００８】
請求項１に記載のこの発明に係る回転刃ユニットによれば、刃先部の横振れの補整は、横触れ測定器の測定子を刃先部に接触させた状態で、手動操作によって、回転駆動軸とともに回転刃ユニットを回転して、刃先部の横振れの状態を測定し、この際刃先部が刃ホルダ側に振れている場合のみ、その近傍の刃固定ねじと刃押圧ねじを介して、刃を刃ホルダ側に振れない位置まで刃ホルダに対して離隔させた状態で固定するという簡単な操作で行うことができる。
【０００９】
すなわち一般には、刃先の横振れの測定部近傍に位置する刃固定ねじを緩めた後、刃押圧ねじをねじ込んで、その先端部で刃の対接する側端面を押動し、横振れ測定器で示される横振れ量がほぼゼロとなる状態にし、この状態で緩めた刃固定けねじを締め付けるという形で、所望の刃先部の横振れを補整することができるものである。
【発明を実施するための最良の形態】
【００１０】
以下図面に基づいて、この発明に係るスリッターにおける回転刃ユニットの好適な実施形態について説明する。
【００１１】
図示した回転刃ユニット１１の形態は、環状の刃１２を環状の刃ホルダ１３に、軸周りに間隔をおいた複数（図面では４個所）の部位で、後者を軸方向に貫通して前者の胴部内までのびる押えボルト（ねじ）形の刃固定ねじ１４を介して側端面の対接状態で固定したそれ自体は周知の構造に、刃ホルダ１３に対する刃押圧ねじ１７の内装構造、すなわち刃ホルダ１３に、軸周りに間隔をおいた複数（図面では６個所）の部位のそれぞれに、刃固定ねじ１４と平行に軸方向にのびる刃押圧ねじ１７を、軸方向に移動可能に、すなわちその先端部が、刃ホルダ１３の側端面と対接する刃１２の胴部の側端面部に押圧係合可能に内装する構造を付加した形態からなっている。
【００１２】
この図示の形態において刃１２の刃先部の横振れの補整を行う際には、刃１２の近傍のスリッターフレーム部（図示せず）に支持した横触れ測定器としてのダイヤルゲージ２０の測定子２１を、刃１２の刃先部に接触状態で臨ませた状態で、回転駆動軸１６とともに回転刃ユニット１１を手で回転しながら、刃１２の刃先部の横振れの状態をダイヤルゲージ２０の指示目盛で確認し、刃１２が刃ホルダ１３側に振れている場合には、その近傍の刃固定ねじ１４を緩めた後、ダイヤルゲージ２０の指示目盛を見ながら、その近傍の刃押圧ねじ１７の刃１２側へのねじ込み操作により、刃１２を刃ホルダ１３側に振れない状態まで押動し、その後緩めた刃固定ねじ１４を締め付ける操作を行う。
【００１３】
この発明に係る回転刃ユニットは、このほか、種々の形態で実施することができるもので、図示の形態に限定されるものではない。
【図面の簡単な説明】
【００１４】
【図１】この発明に係るスリッターにおける回転刃ユニットの好適な実施形態の軸方向において刃ホルダ側から見た側面図である。
【図２】図１のＡ−Ａ線断面図である。
【符号の説明】
【００１５】
１１  回転刃ユニット
１２  刃
１３  刃ホルダ
１４  刃固定ねじ
１５  回転駆動軸固定ねじ
１６  回転駆動軸
１７  刃押圧ねじ
２０  ダイヤルゲージ
２１  測定子
【図１】
2008161955.tif 000003
【図２】
2008161955.tif 000004
(57)【要約】      （修正有）【課題】狭い箇所での作業や体勢の悪い状態での作業の際、ネジ締め、ボルト締め作業中のネジ、ボルトの落下を防止する事で、余計な手間と時間を省くことで作業能率の向上を図る。【解決手段】アルミ製のリング本体に適当な大きさの磁石片（埋め込む磁石片の大きさは長さ１センチ、幅５ミリぐらいがよい）を埋め込んで、作業者が狭い場所や体勢の悪い状態での作業に入る前に、左手の中指もしくは人差し指に装着する。【選択図】図３
2008161996.tif 000002
【特許請求の範囲】
【請求項１】
作業用リング
【請求項２】
磁石付指輪
【発明の詳細な説明】
【技術分野】
【０００１】本発明は狭い箇所での作業や体勢の悪い状態での作業の際、ボルト締めやネジ締めの最中のボルトやネジの落下を防ぎ、作業能率の向上を図る。
【背景技術】
【０００２】
【特許文献１】申請なし
【非特許文献１】特になし
【発明の開示】
【発明が解決しようとする課題】
【０００３】現在、ボルト締めやネジ締めの際、右手に工具を持ち、左手でボルト、ネジを支える場面が多いが、作業中にボルト、ネジが落下すると余計な手間と時間がかかるので、その余計な手間と時間を減らす。
【課題を解決するための手段】
【０００４】（請求項１）
作業用リング
（請求項２）
磁石付指輪
【発明の効果】
【０００５】作業中のボルト、ネジの落下を防ぐことで余計な手間と時間を省く。
【発明を実施するための最良の形態】
【０００６】アルミ製のリング本体に適当な大きさの磁石片を埋め込む。
【実施例】
【０００７】埋め込む磁石片の大きさは、長さ１センチ、幅５ミリぐらいが良い。
【産業上の利用可能性】
【０００８】
【図面の簡単な説明】
【０００９】
【図１】正面図
【００１０】
【図２】平面図
【００１１】
【図３】全体図
【符号の説明】
１  リング本体
２  磁石片
【図１】
2008161996.tif 000003
【図２】
2008161996.tif 000004
【図３】
2008161996.tif 000005
(57)【要約】【課題】使用する有機溶剤が少量で済み、効率的に力を加えて汚れを落とすことができるラベル剥がし清掃用シートを提供する。【解決手段】繊維質よりなる織布、不織布、紙などの基材２に清掃油剤を保持するゲル状物質または弾性多孔性物質であって清掃油剤に溶解せず、これを吸蔵できるエラストマー３を、粒状に加工して縫い込むか、凹凸のあるシート状にして貼り合わせるなどの方法により一体化する。エラストマー３は有機溶剤を吸蔵し、押圧力が加わるとこれを吐き出すとともに、基材２の表面に弾力性のある凹凸を形成する。【選択図】        図１
2008161351.tif 000002
【特許請求の範囲】
【請求項１】
繊維質よりなる基材に清掃油剤を保持するゲル状物質または弾性多孔性物質を挟み込んだラベル剥がし清掃用シートであって、前記ゲル状物質または弾性多孔性物質は清掃油剤に溶解せず、これを吸蔵できるエラストマーであり、不均一に分散して前記基材に凹凸を形成することを特徴とするラベル剥がし清掃用シート。
【発明の詳細な説明】
【技術分野】
【０００１】
本発明は、不要となったラベル、ステッカー、シール剥がしや、ラベルプリンタなどに付着した粘着剤やインキ、トナー等の汚れを落とすのに用いて好適なラベル剥がし清掃シートに関する。
【背景技術】
【０００２】
従来、不要なラベル等を剥がすには、n−ヘキサン等の石油系溶剤を刷毛で塗布するか、スプレーで吹きかけて接着剤を軟化させた後、ヘラ等で掻き落としていた。
しかしながら、このような方法では、垂直な面では溶剤が流れ落ちてしまい、大量の溶剤を消費するという欠点があり、有機溶剤は悪臭となるばかりでなく、一般的に呼吸で吸引等すると人体に有害であり、室内等での大量使用は控えなければならない。
また、有機溶剤を含ませた布や紙ワイプ等で拭く場合には、有機溶剤は布に急速に浸透してしまい清掃面に十分に行き渡らない場合がある。また、紙ワイプでは逆に溶剤の戻りが多く、滴り落ちたり手に付着して不快であり、また一旦落ちた汚れが清掃面に戻ったり、破れやすくて力が入らない等の問題もあった。
この種の清掃用品として、不織布、紙等に天然油、合成油等からなる油剤性分を含浸或いは塗布したいわゆる化学雑巾が知られている。
【０００３】
【特許文献１】特開昭５７ー３９８２５号公報
【０００４】
【特許文献２】特開昭５９ー１４０２８２号公報
【発明の開示】
【発明が解決しようとする課題】
【０００５】
本発明は上記従来技術の問題に鑑みなされたもので、使用する有機溶剤が少量で済み、効率的に力を加えて汚れを落とすことができる清掃用シートを提供することを目的とする。
【課題を解決するための手段】
【０００６】
本発明に係る清掃用シートは、繊維質よりなる基材に清掃油剤を保持するゲル状物質または弾性多孔性物質を挟み込んで、前記ゲル状物質または弾性多孔性物質は清掃油剤に溶解せず、これを吸蔵できるエラストマーであって、不均一に分散して前記基材に凹凸を形成する構成からなることを特徴とする。
【０００７】
上記構成によると、有機溶剤がゲル状物質または弾性多孔性物質に吸蔵されるため、清掃用シートを清掃面に押し当てたときに有機溶剤がはき出され、力を掛けるのと同時に汚れを溶かして繊維質よりなる基剤に吸着させる。ここで、前記ゲル状物質または弾性多孔性物質が不均一に分散して基剤に凹凸を形成するので、汚れを書き落とす力も効果的に作用する。
【発明の効果】
【０００８】
本発明によれば、清掃用シートの内部に有機溶剤が吸蔵され、この溶剤が押圧力によりはき出されて基材面に供給されるので、少量の有機溶剤でも効果的に汚れを溶かして清掃することができる。また、エラストマーにより基材表面に形成される凹凸は汚れを掻き落として捕獲するのに効果を発揮する。
【発明を実施するための最良の形態】
【０００９】
以下、本発明の好ましい実施の形態を、図１ないし図３を用いて説明する。
図１は本発明の実施の形態に係るラベル剥がし清掃用シートの外観斜視図、図２は図１中の矢示II−II方向の断面図、図３は清掃用シートの使用方法の説明図である。
【００１０】
本発明による清掃用シートは、繊維質よりなる基材に清掃油剤を保持するゲル状物質または弾性多孔性物質を挟み込んで、前記ゲル状物質または弾性多孔性物質は清掃油剤に溶解せず、これを吸蔵できるエラストマーであって、不均一に分散して前記基材に凹凸を形成する構成からなることを特徴としている。
【００１１】
図１中、１は清掃用シート、２は基材、３はエラストマーを示す。
上記繊維質よりなる基材２としては、織布、不織布、紙などを用いることができる。更に詳細には、上記基材を構成する繊維として、コットン、麻、パルプ等の天然繊維、レーヨン、キュプラ等の半合成繊維、ポリオレフィン、ポリエステル、ポリアミド等の合成繊維を用いることができる。
【００１２】
上記エラストマー３としては、ＳＢＳ（スチレンーブタジエンースチレン）、ＳＩＳ（スチレンーイソプレンースチレン）、ＳＥＢＳ（スチレンーエチレン／ブチレンースチレン）等のブロックコポリマーが好適に用いられる。これらを球状、金平糖状等の粒状あるいは、これらの粒状を含めたシート状に加工して使用するのが好ましい。
【００１３】
上記有機溶剤としては、被清掃面に対してぬれ性が良く、上記エラストマーを溶解せず安全性と安定性に優れたものが好ましく、ｎ−ヘキサン、トルエン、キシレン、メチルエチルケトン（ＭＥＫ）、テトラヒドロフラン（ＴＨＦ）等を用いることができる。
【００１４】
エラストマー３を基材２の間に不均一に分散させて保持するには、図２（ａ）のように、粒状のエラストマー３を糸４で縫い込む方法、（ｂ）のように、厚みを不均一にして断面が凹凸をなすエラストマー３のシートを形成し、基材２と糸で縫い合わせる、または、部分的に熱圧着して溶着させる、接着剤を用いて貼り合わせる等の方法がある。
【００１５】
そして、清掃用シート１を使用する時は、有機溶剤５をシートに直接スプレーすれば、薄い基材２を通してエラストマー３に吸蔵されるので、このシートで剥がしたいラベルや汚れを押圧して擦ればよい。
【００１６】
なお、本発明が上記各実施の形態に限定されず、本発明の技術思想の範囲内において、各実施の形態は適宜変更され得ることは勿論である。また、上記構成部材の数、位置、形状等は上記実施の形態に限定されず、本発明を実施する上で好適な数、位置、形状等にすることができる。
【図面の簡単な説明】
【００１７】
【図１】本発明の実施の形態に係るラベル剥がし清掃用シートの外観斜視図
【図２】図１中の矢示II−II方向断面であり、（ａ）は粒状のエラストマーを糸で縫い込む場合、（ｂ）はシート状のエラストマーを熱圧着する場合の構造図
【図３】ラベル剥がし清掃用シートの使用方法の説明図
【符号の説明】
【００１８】
１…ラベル剥がし清掃用シート、２…基材、３…エラストマー、４…縫い糸、５…有機溶剤スプレー
【図１】
2008161351.tif 000003
【図２】
2008161351.tif 000004
【図３】
2008161351.tif 000005
(57)【要約】【課題】植物の垂れ下がり・根にかかる負担・通気性を良くするためにワンタッチの支え棒を提供する【解決手段】植物の茎を下から支えることにより、以下の点が改善される・茎を支え棒に留めなくて良い・植物と一緒に倒れてこない・植物の形が良くなり見栄えが良い・植物の根に負担がかからない・通気性が良くなる【選択図】図１
2008183002.tif 000002
【特許請求の範囲】
【請求項１】
植物の茎を支える棒の上部をＵ字型にして、茎を下から支え、見栄え・根にかかる負担・通気性を良くしたワンタッチの支え棒。
【発明の詳細な説明】
【発明の詳細な説明】
鉢植えで寄植えをしたり、一種類で溢れるように咲きこぼれるクリーピングタイプの花を植えたりする時等に、もう少しここが上に盛り上がっていれば全体のバランスがいいのにとか、また花壇にお花や葉物植物を植えた時ここに支えをしてお花が垂れ下がるのを防ぎたいとか思う時に、植物の下から支えをして植物を矯正するために考えました。下がるものを下から支えるので棒と植物を植物用ワイヤー等で留める必要がなく、植物に負担をかけずワンタッチで矯正でき、見栄えが良くなります。さらに根に負担がかからず通気性も良くなります。
【技術分野】
【０００１】この発明は植物の見栄えのための矯正、また植物の良好な状態を保つために考えました。
【背景技術】
【０００２】植物を支える棒は真っ直ぐなものしかありません。
【発明が解決しようとする課題】
【０００３】従来の真っ直ぐな棒の場合、植物が小さいものだと横に突き出てしまったりして見栄えが良くありません。また、棒と一緒に植物が倒れてくることもあります。
【課題を解決するための手段】
【０００４】垂れ下がる植物を支える時は、小さめの下から受ける形のものが見栄え・効果ともに良いです。
【発明を実施するための最良の形態】
【０００５】以下の図で▲１▼に植物の茎を乗せる。▲２▼は土に差し込む。
【発明の効果】
【０００６】寄植え又は一種類の鉢植えなど全体のバランスがとても良くなり、垂れ下がった植物などは支えをすることによって根に負担がかからず通気性も良くなり植物にとっていいことづくめです。
【図面の簡単な説明】
【図１】本発明の正面図である。
【図２】本発明の使用状態を示す側面図である。
【符号の説明】
▲１▼植物の茎を乗せる部分
▲２▼土に差し込む部分
【図１】
2008183002.tif 000003
【図２】
2008183002.tif 000004